(57)【要約】      （修正有）【課題】組み立て取外し使用が容易で、夜間照明、緊急照明、移動式照明等の多機能を備えたスイッチパネルを提供する。【解決手段】周縁に組み立て部を設置する少なくとも１個のパネル、及び該パネル上に可動設置する照明機構を含む。該照明機構はハウジング、該ハウジングの少なくとも１個の周縁に設置し、しかも該組み立て部と可動結合する対応接続部、該ハウジング上に設置する制御ユニット、該制御ユニットと電気的に連接し、しかも該ハウジング上に設置する少なくとも１個の発光ユニットを含む。【選択図】図１
0003144251.tif 000002
【実用新案登録請求の範囲】
【請求項１】
照明構造を備えるスイッチパネルであって、
少なくとも１個の周縁に組み立て部を設置するパネルと、
前記パネル１上に可動設置し、しかもハウジング、該ハウジングの少なくとも１個の側縁に設置しかつ該組み立て部と可動結合する対応接続部、該ハウジング上に設置する制御ユニット、及び該制御ユニットと電気的に連接しかつ少なくとも１個の該ハウジング上に設置する発光ユニットを含む照明機構と、
を含むことを特徴とする照明構造を備えるスイッチパネル。
【請求項２】
前記組み立て部は嵌槽で、しかも前記組み立て部の一面上には多数の定位孔があることを特徴とする請求項１に記載の照明構造を備えるスイッチパネル。
【請求項３】
前記組み立て部の適当な位置には必要な外部電力と連接する導電部を設置することを特徴とする請求項１に記載の照明構造を備えるスイッチパネル。
【請求項４】
前記対応接続部は導引ブロックで、しかも該対応接続部上には前記組み立て部と干渉を形成する多数の定位弾力片を備えることを特徴とする請求項１に記載の照明構造を備えるスイッチパネル。
【請求項５】
前記制御ユニットは少なくとも制御回路を備え、前記制御回路はそれぞれ前記ハウジング中に設置する電源部、前記対応接続部上に設置する電源入力部、及びそれぞれ前記ハウジングの適当な位置に設置する切換えスイッチ、テストスイッチ、光探知部品に電気的に連接することを特徴とする請求項１に記載の照明構造を備えるスイッチパネル。
【請求項６】
前記発光ユニットは多数の発光体により構成し、しかも前記発光ユニットは少なくとも前記ハウジングの一端縁及び一側縁の位置に設置することを特徴とする請求項１記載の照明構造を備えるスイッチパネル。
【考案の詳細な説明】
【技術分野】
【０００１】
本考案は照明構造を備えるスイッチパネルに関し、特に組み立て設置、分解取り外しが容易で、夜間照明、緊急照明、移動式照明等機能を備える照明構造を備えるスイッチパネルに係る。
【背景技術】
【０００２】
公知の室内照明スイッチは、使用上の利便のため、通常は該スイッチボタン上に発光体を設置し、これにより使用者は暗闇の環境中でも該スイッチボタン上の光点により該スイッチの機能をオンにすることができる。
しかし、該発光体が発する光源は微弱であるため、使用者はスイッチボタンの認識が可能であるだけで、照明として運用することはできない。よって夜間に照明が必要である時には、別にスモールナイトライトを用いなければならない。
また停電時の照明を提供するために、一般の建築物中には通常緊急照明装置が設置されている。該緊急照明装置は電力供給が正常である平常時には、その発光体はオフの状態で、しかもその装置は充電状態にある。停電時には、内部の切換えスイッチは充電池に対応し発光体をオンにし、照明状態を呈する。
しかし、該緊急照明装置は通常は建築物中の比較的高所の定点位置に設置されるため、検査作業を行いにくく、しかも該緊急照明装置設置の後には移動させることができない。このため、照明角度及び位置には限界があり、しかも該緊急照明装置は設置時に、工具を用い壁面に穴を開けなければならず、設置が比較的複雑である。よって、一般家庭には普及しておらず、一般家庭では懐中電灯を緊急照明とし、前記の緊急照明装置が移動させられず、体積が大きく、設置が容易でないという欠点を解決している。しかし、該懐中電灯は携帯と収納が比較的便利であるため、使用者は収納位置を忘れがちである。そのため、いざ停電という時になって、懐中電灯収納場所が分からないという状況も発生し、停電時に暗闇で懐中電灯を探し回らなければならないという事態が起こる。
上記の諸々の欠点に鑑み、本考案人は研究に潜心し、公知構造の欠点を完全に解決する照明構造を備えるスイッチパネルを開発した。
【考案の開示】
【考案が解決しようとする課題】
【０００３】
本考案が解決しようとする課題は、照明機構をパネルに対応させ組み立て設置、取外し使用が容易で、夜間照明、緊急照明、移動式照明等の機能を備える照明構造を備えるスイッチパネルを提供することである。
【課題を解決するための手段】
【０００４】
上記課題を解決するため、本考案は下記の照明構造を備えるスイッチパネルを提供する。
照明構造を備えるスイッチパネルは少なくとも１個の周縁に組み立て部を設置するパネル、パネル上に可動設置する照明機構を含み、
該照明機構はハウジング、該ハウジングの少なくとも１個の周縁に設置し、しかも該組み立て部と可動結合する対応接続部、該ハウジング上に設置する制御ユニット、及び該制御ユニットと電気的に連接し、しかも少なくとも１個の該ハウジング上に設置する発光ユニットを含む。
【考案の効果】
【０００５】
上記のように、本考案照明機構はパネルに対応し、組み立て設置、取外し使用が容易で、夜間照明、緊急照明、移動式照明等の機能を備えることができる。
【考案を実施するための最良の形態】
【０００６】
それぞれ本考案の立体分解指示図及び本考案の立体外観指示図である図１、２に示すように、本考案照明構造を備えるスイッチパネルは少なくともパネル１及び照明機構２により構成する。
該照明機構２は該パネル１に対応し、組み立て設置、取外し使用が容易で、夜間照明、緊急照明、移動式照明等の機能を備える。
該パネル１の少なくとも１個の周縁には組み立て部１１を設置し、該組み立て部１１は嵌槽である。しかも該組み立て部１１の一面上には多数の定位孔１２があり、該組み立て部１１の適当な位置には必要な外部電力と連接する導電部１３を設置する。
【０００７】
該照明機構２は前記パネル１上に可動設置し、しかも該照明機構２はハウジング２１、該ハウジング２１の少なくとも１個の側縁に設置し、しかも該組み立て部１１と可動結合する対応接続部２２、該ハウジング２１上に設置する制御ユニット２３、及び該制御ユニット２３と電気的に連接し、しかも該ハウジング２１上に設置する少なくとも１個の発光ユニット２４を含む。
該対応接続部２２は該組み立て部１１と嵌接可能な導引ブロックで、しかも該対応接続部２２上には該組み立て部１１上に設置する定位孔１２と干渉を形成する多数の定位弾力片２５を備える。しかも該制御ユニット２３は少なくとも制御回路２３１を備え、該制御回路２３１はそれぞれ該ハウジング２１中に設置する電源部２３２、該対応接続部２２上に設置する導電部１３に設置し接触導通する電源入力部２３３、及びそれぞれ該ハウジング２１の適当な位置に設置する切換えスイッチ２３４、テストスイッチ２３５、光探知部品２３６と電気的に連接する。
該発光ユニット２４は制御回路２３１と電気的に連接する多数の発光体２４１により構成する。しかも該発光ユニット２４は少なくとも前記ハウジング２１の一端縁及び一側縁の位置に設置することができる。こうして前記構造により全く新しい照明構造を備えるスイッチパネルを提供する。
【０００８】
それぞれ本考案の断面状態指示図、本考案の第一使用状態指示図及び本考案の第二使用状態指示図である図３、４、５、合わせて図１に示すように、本考案の運用時には、該パネル１を一般室内照明スイッチ３（或いは電器コンセント）の外部に設置し、元のスイッチパネルの代わりとする。該パネル１上の導電部１３を照明スイッチ３の電力と連接し、こうして外部電力を導電部１３上に導電し、照明機構２の使用に供する。
【０００９】
該照明機構２をパネル１上に組み立て使用する時には、該ハウジング２１の対応接続部２２と組み立て部１１を利用し相互にスライド嵌接し、簡単に組み立て可能な機能を達成することができる。しかも同時に、該定位弾力片２５と定位孔１２は干渉を形成し定位する。さらに該制御ユニット２３の電源入力部２３３と導電部１３は接触導通し、除該電源部２３２に対して充電を行う他、該制御ユニット２３及び該発光ユニット２４の作動時に必要な電力を供給する。
パネル１と照明機構２結合の後、その光探知部品２３６は所在環境の外部光源を探知可能で、光源が十分であれば、該光探知部品２３６は制御回路２３１を通して各発光ユニット２４をオフ状態とする。
反対に、光源が微弱或いは全く明かりがない時には、該光探知部品２３６は制御回路２３１を通して各発光ユニット２４を電源部２３２に対応させ発光させる。こうして夜間照明と緊急照明の機能を達成する。
【００１０】
本考案は該光探知部品２３６を各発光ユニット２４のオン、オフに用いる他、該制御回路２３１を利用し断電触発の回路設計とすることができる。これにより該導電部１３が電力を提供しない時には、該制御回路２３１は直接切換えを行い、該電源部２３２により発光ユニット２４に発光させ、同様に、夜間照明と緊急照明の機能を備えることができる。
しかも照明機構２がパネル１上に結合しある程度の時間が経過後、使用者が該テストスイッチ２３５を押すと、該テストスイッチ２３５は制御回路２３１に対応し、該電源部２３２を強制的に起動し、発光ユニット２４に発光させることができる。こうして該制御ユニット２３及び発光ユニット２４が正常であるかどうかをテストすることができる。
【００１１】
別に、本考案は使用時に、照明機構２を片側へと移動させることで、該照明機構２のハウジング２１は該対応接続部２２を利用し該組み立て部１１上においてスライドし、該照明機構２をパネル１上から取外すことができる。これにより該照明機構２は簡単に取外し用いることができ、こうして、使用者は該照明機構２のハウジング２１を手に持ち、切換えスイッチ２３４により切換えを行い、該ハウジング２１の一端縁或いは一側縁の位置に設置する発光ユニット２４を発光させ、移動式照明の機能を達成することができる。
使用完了或いは充電を行おうとする時には、上記結合方式に基づき結合及び充電を行うことができる。
上記のように、本考案照明構造を備えるスイッチパネルは公知構造の諸々の欠点を効果的に改善することができ、照明機構はパネルに対応し、組み立て設置、取外し使用が容易で、夜間照明、緊急照明、移動式照明等の機能を備えることができる。こうして本考案はより進歩的かつより実用的となり、使用者のニーズにより合致するものとなり、実用新案登録の要件に符合する。
【図面の簡単な説明】
【００１２】
【図１】本考案の立体分解指示図である。
【図２】本考案の立体外観指示図である。
【図３】本考案の断面状態指示図である。
【図４】本考案の第一使用状態指示図である。
【図５】本考案の第二使用状態指示図である。
【符号の説明】
【００１３】
１  パネル
１１  組み立て部
１２  定位孔
１３  導電部
２  照明機構
２１  ハウジング
２２  対応接続部
２３  制御ユニット
２３１  制御回路
２３２  電源部
２３３  電源入力部
２３４  切換えスイッチ
２３５  テストスイッチ
２３６  光探知部品
２４  発光ユニット
２４１  発光体
２５  定位弾力片
３  照明スイッチ
【図１】
0003144251.tif 000003
【図２】
0003144251.tif 000004
【図３】
0003144251.tif 000005
【図４】
0003144251.tif 000006
【図５】
0003144251.tif 000007